(57)【要約】【課題】簡易な構成で車椅子利用者の立ち上がり作業を容易にする座席昇降車椅子を提供することを課題とする。【解決手段】アームレスト１１に対して車椅子Ａの進行方向前方であって、車椅子利用者の車椅子からの立ち上がり時の足の位置に対して略垂直上方位置には、立ち上がり用把持部２０が設けられている。車椅子利用者の立ち上がり作業において、座面６が前傾することにより、車椅子利用者は図中二点鎖線に示す位置から実線の位置に移動する。その状態で車椅子利用者は立ち上がり用把持部２０のノブ２２に手をかけ、これを下方に押すように力を入れることにより容易に立ち上がることが出来る。【選択図】図１
2009233090.tif 000002
【特許請求の範囲】
【請求項１】
車椅子本体を構成するフレームと、該フレーム両側部に設けられて車椅子利用者の肘掛となるアームレストと、前記フレームに対して昇降自在又は傾動自在に設置される座面とを有する座席昇降車椅子において、前記フレームの前記アームレストよりも前記車椅子の進行方向前方であって、前記車椅子利用者の立ち上がり時の足の位置に対して略垂直上方位置に立ち上がり用把持部を設けたことを特徴とする座席昇降車椅子。
【発明の詳細な説明】
【技術分野】
【０００１】
本発明は、車椅子からの立ち上がりや車椅子への着座作業を容易にする座席昇降車椅子の立ち上がり用把持部に関するものである。
【背景技術】
【０００２】
座席昇降車椅子は、車椅子利用者が一人で立ち上がることができるよう、立ち上がりを支援する機能を有する。また、介助者が車椅子利用者を立ち上がらせてベッドなどに移乗する際の「立位による移乗」を容易に行う事ができ、介助者の腰痛を防止する。具体的には、シリンダー駆動により座面を前方に傾斜可能としており、この傾斜により車椅子利用者の立ち上がりを補助し、また、介助者の腰痛防止となる(特許文献１参照）。実際の立ち上がり時において、車椅子利用者は地面に足をつき、アームレストと称される肘掛部を手で押すことにより立ち上がり動作をすることとなる。しかしながら、特許文献１のような構成では、座面が上昇する分、アームレストが相対的に低くくなるため、立ち上がりにくいという問題がある。
【０００３】
これを解決するために特許文献２にはアームレストを座面の上昇に連動させ、アームレストを垂直上方に移動させることにより、立ち上がり動作を容易にする技術の開示がある。
【特許文献１】特開２００２−１２６００８号公報
【特許文献２】特開２００６−２４６９５７号公報
【発明の開示】
【発明が解決しようとする課題】
【０００４】
しかしながらこの構成でもアームレストは垂直上方に移動するため、車椅子利用者が立ち上がろうとする際、立とうとする位置に対して手が後方に位置してしまい、無理な体勢となるため、立ち上がり作業が依然として難しいという問題があった。また、アームレストを上昇させる装置の製作に伴う部品数が多くなり、コスト高となる問題もあった。
【０００５】
本発明が前述の状況に鑑み解決しようとするところは、簡易な構成で車椅子利用者の立ち上がり作業を容易にする座席昇降車椅子を提供することをその課題とする。
【課題を解決するための手段】
【０００６】
前記課題を解決するために、本発明は、車椅子本体を構成するフレーム１と、該フレーム１両側部に設けられて車椅子利用者の肘掛となるアームレスト１１と、前記フレーム１に対して昇降自在又は傾動自在に設置される座面６とを有する座席昇降車椅子Ａにおいて、前記フレーム１の前記アームレスト１１よりも前記車椅子Ａの進行方向前方であって、前記車椅子利用者の立ち上がり時の足の位置に対して略垂直上方位置に立ち上がり用把持部２０を設けたことを特徴としている。
【発明の効果】
【０００７】
本発明記載の座席昇降車椅子によれば、アームレストよりも車椅子の進行方向前方であって、車椅子利用者の立ち上がり時の足の位置に対して略垂直上方位置に立ち上がり用把持部を設けたので、車椅子利用者が車椅子から立ち上がる際、容易に立ち上がることができる座席昇降車椅子を簡易な構成で実現することができる。
【発明を実施するための最良の形態】
【０００８】
本発明の実施形態による座席昇降車椅子について図１〜図５に基づき説明する。図１の概略側面断面図に示す通り、本実施例に係る座席昇降車椅子Ａは本体部を構成するフレーム１に座席を昇降駆動する機構が設けられている。フレーム１に取り付けられたハウジング２内には伸縮装置３が固定されている。伸縮装置３には駆動軸４が上下方向に進退自在に設けられている。駆動軸４の一端は基部５に軸支されている。基部５は座面６に固定されているので、伸縮装置３の駆動により座面６が昇降することとなる。車椅子利用者が車椅子使用時に両手を置く部分のフレーム１には左右一対のアームレスト１１が設けられており、車椅子利用者の肘掛として機能する。また、符号７はフレーム１に回転可能に支承された車輪であり、符号８は同じくフレーム１に回転可能に支承されたキャスターである。符号９はフレーム１に設けられ、車椅子利用者の足置き部を構成するフットレストである。符号１０は車椅子の駐車などに使用されるブレーキレバーであり、これを操作することで、図示しないロック機構により車輪７にロックをかけて制動する機能を有する。
【０００９】
アームレスト１１に対して車椅子Ａの進行方向前方であって、車椅子利用者の車椅子からの立ち上がり時の足の位置に対して略垂直上方位置には、本発明の立ち上がり用把持部２０が設けられている。具体的には、フレーム１のアームレスト１１よりも前方に保持体２１が固着されている。保持体２１の上部にはノブ２２が一体的に設けられている。
【００１０】
車椅子利用者の立ち上がり作業において、座面６が前傾することにより、車椅子利用者は図中二点鎖線に示す位置から実線の位置に移動する。その状態で車椅子利用者は立ち上がり用把持部２０のノブ２２に手をかけ、これを下方に押すように力を入れることで立ち上がることがより一層楽に出来る。立ち上がり用把持部２０は車椅子利用者が立ち上がる際の足の位置に対して略垂直上方位置に位置しているので、車椅子利用者は容易に立ち上がり作業が行えることとなる。図１に示す通り、アームレスト１１に手をかけて立ち上がる場合と比べ、距離Ｘの分、立ち上がり時における手の位置が前方へ移動できることとなる。
【００１１】
図２に立ち上がり用把持部２０の他の実施例を示す。本実施例における立ち上がり用把持部２０は、保持体２１とこの保持体２１に対してヒンジ２４を介して回動可能な移動部材２３とこれと一体的に設けられるノブ２２からなる。車椅子利用者の立ち上がり作業時以外は図２中二点鎖線で示す位置に移動部材２３及びノブ２２を回動しておけば車椅子利用者の邪魔になることがなく、便利である。
【００１２】
図３は立ち上がり用把持部２０の他の実施例であり、（ａ）は立ち上がり用把持部の拡大図、（ｂ）は固定手段の拡大断面図、（ｃ）は固定手段の拡大側面図を示している。本実施例においては、立ち上がり用把持部２０のノブ２２の高さ位置及び回転方向位置を変更可能に構成されている。図３（ａ）、（ｂ）に示す通り、本実施例において、フレーム１に固着される保持体２１は中空部材にて形成され、孔２１ａを有している。保持体２１には複数の孔２３ａを有する移動部材２３が摺動可能かつ回転可能に挿入される。保持体２１には固定手段２５が設けられている。具体的には、保持体２１にはブロック２８が固定されており、ブロック２８にはつまみ２６ａを有するピン２６が保持体２１の孔２１ａと移動部材２３の孔２３ａを貫通して、図３（ｂ）中左右方向に移動可能に挿入されている。ピン２６の保持体２１外面付近には図示しない止め輪が固定されており、この止め輪とブロック２８の内壁との間にはバネ２７が設けられていることにより、ピン２６は常時図３（ｂ）中右方向に付勢されている。つまみ２６ａをバネ２７の付勢力に抗して図３(ｂ)中左方向に引っ張ってピン２６を孔２１ａ、孔２３ａから抜くことにより、移動部材２３は摺動かつ回転可能になる。そして任意の孔２３ａと孔２１ａとを合せてピン２６を再び挿入することにより、移動部材２３の高さ方向、回転方向を変更することが可能となる。また、この高さ調節機構は図３（ｃ）に示すように、移動部材２３の突起２３ｂと保持体２１のスライド孔２１ｂとにより実現することも可能である。図３(ｃ)では３段階の高さ調節が可能である。
【００１３】
図４は立ち上がり用把持部２０の他の実施例であり、（ａ）、（ｂ）共にノブを示す拡大図である。移動部材２３に一体的に設けられたノブ２２は図４(ａ)に示すようにひょうたん形や、図４(ｂ)に示すようにもみじ形にするなど、車椅子利用者の握りやすいものにすることができる。
【００１４】
図５は立ち上がり用把持部２０の他の実施例であり、（ａ）は座席昇降車椅子Ａの概略側面断面図、（ｂ）は保持体２１の拡大断面図である。図１と同一部分については説明を省略する。保持体２１は長い筒状の中空部材として形成され、フレーム１に固着されており、その下端には蓋２１ｃが図示しないバネで常時保持体２１の開口部を閉じるように付勢された状態で設けられている。保持体２１は上部が開口されており、ここに杖Ｔが挿入可能となっている。車椅子利用時は保持体２１は杖Ｔのケースとして機能する。車椅子利用者の立ち上がり時に車椅子利用者は杖Ｔを持ってこれを下方に押すように力を入れると、バネの付勢力に抗して蓋２１ｃが回動し、杖Ｔの先端部が地面に当接する。こうすることにより、車椅子利用者は立ち上がることが出来る。つまり杖Ｔが前述実施例における立ち上がり用把持部２０のノブ２２の役割を果たすこととなり、部品数の削減や省スペースが図れる。
【００１５】
本発明にかかる座席昇降車椅子の立ち上がり用把持部の機構は、上述した実施の形態に限定されず、特許請求の範囲で記載した範囲で種々の変形や改良が可能である。例えば、立ち上がり用把持部２０は左右アームレスト１１の両方に設けても片方に設けても良い。
【産業上の利用可能性】
【００１６】
本発明に係る、座席昇降車椅子の立ち上がり用把持部は、座席昇降機能を有する車椅子において極めて有用である。
【図面の簡単な説明】
【００１７】
【図１】本実施形態に係る座席昇降車椅子の概略側面断面図である。
【図２】立ち上がり用把持部の他の実施例を示す側面図である。
【図３】立ち上がり用把持部の他の実施例であり、（ａ）は立ち上がり用把持部の拡大図、（ｂ）は固定手段の拡大断面図、（ｃ）は固定手段の拡大側面図である。
【図４】立ち上がり用把持部の他の実施例であり、（ａ）、（ｂ）共にノブを示す拡大図である。
【図５】立ち上がり用把持部の他の実施例であり、（ａ）は座席昇降車椅子の概略側面断面図、（ｂ）は保持体の拡大断面図である。
【符号の説明】
【００１８】
２０      立ち上がり用把持部
２１      保持体
２２      ノブ
２３      移動部材
２４      ヒンジ
２５      固定手段
２６      ピン
２７      バネ
２８      ブロック
Ｔ      杖
【図１】
2009233090.tif 000003
【図２】
2009233090.tif 000004
【図３】
2009233090.tif 000005
【図４】
2009233090.tif 000006
【図５】
2009233090.tif 000007